(57)【要約】【課題】夜間に病室が消灯されていて、ナースコール子機の筺体が布団を被っていない状態で、筐体の所在の確認を医療従事者に要請する誤報が行われないようにする。【解決手段】筺体の患者に持たれ難い位置に第一の照度センサー４を設け、ナースコール子機１から出力された呼出信号を中継するウォールユニット１０に第二の照度センサー１３を設けて、第一の照度センサー４によって検出された値が第一の所定値以下であり、かつ、第二の照度センサー１３によって検出された値が第一の所定値よりも大きい第二の所定値以上である場合に、報知部２３にて筐体の所在の確認を医療従事者に要請する報知を行うようにしているので、病室内が明るく、筺体が布団を被っている状態では、筺体の所在の確認を医療従事者に促す報知が行われ、それ以外の場合にはその報知が行われない。【選択図】図１
2014033678.tif 000002
【特許請求の範囲】
【請求項１】
病室内の患者のベッド上に置かれたり、前記患者によって持たれたりする筐体と、前記筺体の前記患者によって持たれる可能性が低い部分に設置され、周囲の照度を検出して照度の値を出力する第一の照度センサーと、前記筺体に設置され、前記患者が医療従事者を呼び出す際に操作する呼出操作部と、前記第一の照度センサーから出力された照度の値を継続的に外部へ出力するとともに、前記呼出操作部が操作された場合に呼出信号を生成して外部へ出力する子機制御部とを備えたナースコール子機と、
前記病室内に設置され、前記ナースコール子機を接続して前記照度の値および前記呼出信号を入力する接続部と、前記病室内の照度を検出して照度の値を出力する第二の照度センサーと、前記接続部が入力した前記照度の値および前記呼出信号を外部へ出力するとともに、前記照度センサーから入力した照度の値を外部へ出力する制御部とを備えたウォールユニットと、
前記ウォールユニットから前記第一の照度センサーによって検出された前記照度の値、前記呼出信号、および、前記第二の照度センサーによって検出された前記照度の値を入力するインターフェースと、患者によって呼び出しが行われたことと、前記筺体の所在の確認を前記医療従事者に要請することとを区別して報知する報知部と、前記インターフェースが入力した前記各照度の値を調べ、前記第一の照度センサーによって検出された前記照度の値が第一の所定値以下であり、かつ、前記第二の照度センサーによって検出された前記照度の値が前記第一の所定値よりも大きい第二の所定値以上である場合に、前記筐体の所在の確認を医療従事者に要請する報知を前記報知部に行わせ、前記インターフェースが前記呼出信号を入力した場合に、前記患者が前記医療従事者を呼び出したこと示す報知を前記報知部に行わせる親機制御部とを備えたナースコール親機と、
を備えたナースコールシステム。
【発明の詳細な説明】
【技術分野】
【０００１】
本発明は、病院などで患者からの要求に応じて医療従事者を呼び出すナースコールシステムに関し、特に患者が手元に置かれたナースコール子機を操作することによってナースコール親機にて報知が行われるナースコールシステムに関する。
【背景技術】
【０００２】
病院や福祉施設などに設置されるナースコールシステムは、ナースステーションに設置されるナースコール親機と、病室の入り口の廊下側に設置され、ナースコール親機と接続される廊下灯と、病室内の壁面に設置され、廊下灯と接続されたウォールユニットと、患者の手元に置かれ、患者により操作されるナースコール子機とを備えている。
【０００３】
ウォールユニットは、その表面にコンセントを備えており、ナースコール子機の筺体に接続されているコードの先端に設けられたプラグをコンセントに接続することで、患者がナースコール子機を操作して呼び出しを行うことができる。ここで、ナースコール親機は、ナースコール子機からの呼び出しを受けると報知を行う。また、ナースコール子機のプラグは、ウォールユニットのコンセントに対して着脱自在となっている。
【０００４】
このようなナースコール子機としては、握り押しボタンやハンド形子機などがある。ここで、握り押しボタンは、呼出ボタンによって構成される呼出操作部を備えており、単に呼び出し専用で、握り押しボタン自体は通話機能を持たない。また、ハンド形子機は、呼出ボタンによって構成される呼出操作部に加えて、マイクおよびスピーカを内蔵しており、ハンド形子機自体が通話機能を持っている。
【０００５】
ところで、ナースコール子機が有線式である場合には、ナースコール子機の筺体に接続されたコードの先端に設けたプラグを、ウォールユニットに設けたコンセントに接続することで、ナースコール子機とウォールユニットとを接続しているが、ナースコール子機が無線式である場合には、ナースコール子機の筐体内に無線送受信部を設け、ウォールユニットにも無線送受信部を設けることで、ナースコール子機とウォールユニットとを接続している。ここで、ナースステーションなどに無線送受信部を設けてナースコール子機と直接無線にて接続することも考えられるが、確実に無線通信が行われるようにするために、ウォールユニットに無線送受信部が設けられることが好ましい。
【０００６】
上述したようなナースコール子機の筺体は、主に患者の手元、すなわち、患者の居るベッド上に置かれる。そのため、ベッド上に存在している掛け布団が筐体を被ってしまうと、患者がナースコール子機の筺体を見つけられなくなってしまうという問題があった。一方、ナースコール子機の操作部の近傍に照度センサーを取り付ける技術が知られている（例えば、特許文献１の第２実施形態など）。
【０００７】
このように構成された特許文献１に記載のナースコール子機を利用して、照度センサーによって検出された照度の値が一定値以下の状態であり、その状態が所定時間以上継続した場合に、ナースコール子機が布団などを被ってしまったためナースコール子機の所在を確認する要請を看護師などの医療従事者に対して行う報知をナースコール親機にて行うことが考えられる。これにより、ナースコール親機の報知を確認した医療従事者が、患者の居るベッドに赴いてナースコール子機の所在を確認することができる。
【先行技術文献】
【特許文献】
【０００８】
【特許文献１】特開２００８−１８０３７号公報
【発明の概要】
【発明が解決しようとする課題】
【０００９】
しかしながら、上述した従来技術では、ナースコール子機の筺体に設けた照度センサーが一定値以下の照度を検出している状態が所定時間以上継続した場合に、ナースコール親機にて報知が行われるため、夜間に病室が消灯されている状態でもナースコール親機にて報知が行われてしまうという問題があった。
【００１０】
本発明は、このような問題を解決するために成されたものであり、夜間に病室が消灯されていて、ナースコール子機の筺体が布団などを被っていない状態で、ナースコール子機の筐体の所在の確認を医療従事者に要請する報知が誤って行われないようにすることを目的とする。
【課題を解決するための手段】
【００１１】
上述した課題を解決するために、本発明では、病室内の患者のベッド上に置かれることが可能であり、ナースコール子機の筺体の患者によって持たれる可能性の低い位置に第一の照度センサーを設け、病室内に設置され、ナースコール子機から出力された呼出信号を中継してナースコール親機へ出力するウォールユニットに第二の照度センサーを設けて、第一の照度センサーによって検出された値が第一の所定値以下であり、かつ、第二の照度センサーによって検出された値が第一の所定値よりも大きい第二の所定値以上である場合に、ナースコール親機にてナースコール子機の筐体の所在の確認を医療従事者に要請する報知を行うようにしている。
【発明の効果】
【００１２】
上記のように構成した本発明によれば、病室内が明るく、ナースコール子機の筺体が布団などを被っていない状態では、ナースコール子機の筐体に設けた第一の照度センサーによって検出される照度の値が第一の所定値以下とならず、ウォールユニットに設けた第二の照度センサーによって検出される照度の値が第二の所定値以上となるため、ナースコール子機の筺体の所在の確認を医療従事者に促す報知は行われない。
【００１３】
一方、病室内が明るく、ナースコール子機の筺体が布団などを被っている状態では、ナースコール子機の筺体に設けた第一の照度センサーによって検出される照度の値が第一の所定値以下となり、ウォールユニットに設けた第二の照度センサーによって検出される照度の値が第二の所定値以上となるため、ナースコール子機の筺体の所在の確認を医療従事者に促す報知が行われる。
【００１４】
また、病室内が暗い状態では、ナースコール子機の筺体が布団などを被っているか否かに関わらず、ナースコール子機の筺体に設けた第一の照度センサーによって検出される照度の値が第一の所定値以下となり、ウォールユニットに設けた第二の照度センサーによって検出される照度の値が第二の所定値未満となるため、ナースコール子機の筺体の所在の確認を医療従事者に促す報知は行われない。
【００１５】
従って、夜間に病室が消灯されていて、ナースコール子機の筺体が布団などを被っていない状態であっても、ナースコール子機の筐体の所在の確認を医療従事者に要請する報知が誤って行われないようにすることができる。
【図面の簡単な説明】
【００１６】
【図１】本実施形態によるナースコールシステムの構成例を示すブロック図である。
【図２】本実施形態によるナースコールシステムのウォールユニットとナースコール子機との外観例を示す図である。
【発明を実施するための形態】
【００１７】
以下、本発明の一実施形態を図面に基づいて説明する。図１は、本実施形態によるナースコールシステムの構成例を示すブロック図である。同図に示すように、本実施形態によるナースコールシステムは、各ベッドに居る患者によって使用されるナースコール子機１と、病室内の各ベッドの近傍の壁面に設置されるウォールユニット１０と、ナースステーションに設置され、ナースコール子機１からの呼び出しを報知するナースコール親機２０とを備えて構成される。
【００１８】
また、本実施形態によるナースコールシステムは、他の標準的な構成要素として、ウォールユニット１０とナースコール親機２０との間に設置され、ナースコール子機１からの呼び出しを表示したり、病室内の患者の氏名などを表示したりする図示しない廊下灯を備えている。また、ウォールユニット１０とナースコール親機２０との間には、ナースコール子機１およびナースコール親機１０間の通話やデータの送受信に関する制御を行う図示しない制御機が接続されている。また、病院内の通信センターに設置される図示しないハンディナースコール主装置、図示しない構内交換機（ＰＢＸ：Private Branch Exchange）、図示しない公衆網、図示しない無線ユニットを備えることにより、医療従事者が携行するＰＨＳ（Personal
Handy-phone System）によって、ナースコール親機２０の代わりにナースコール子機１からの呼び出しを報知することができる。
【００１９】
ここで、ナースコール子機１は、子機制御部２、呼出操作部３、第一の照度センサー４、子機インターフェース５を備えて構成されている。また、ウォールユニット１０は、制御部１１、接続部１２、第二の照度センサー１３、ウォールユニットインターフェース１４を備えて構成されている。また、ナースコール親機２０は、親機制御部２１、インターフェース２２、報知部２３を備えて構成されている。
【００２０】
ここで、図２に示すように、ナースコール子機１の筺体Ｃに設けられたコードの先端にはプラグが設けられており、そのプラグはウォールユニット１０に設けられている接続部１２に対して着脱自在に取り付けられている。また、上述したナースコール子機１の構成要素である、子機制御部２、呼出操作部３、第一の照度センサー４、子機インターフェース５は、筐体Ｃに設けられている。ここで、筐体Ｃは、患者の手によって持つことができる程度の大きさである。また、筐体Ｃは、不使用時にベッド上に置かれることがある。
【００２１】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、ボタン状に形成されている。患者は、医療従事者を呼び出したい場合に、呼出操作部３を操作する。すると、子機制御部２は呼出信号を生成する。ここで、呼出信号には、このナースコール子機１を他のナースコール子機１と識別するための子機識別情報（例えば、ベッド番号など）が含まれる。
【００２２】
第一の照度センサー４は、筐体Ｃの患者によって持たれる可能性が低い部分に設けられている。すなわち、筐体Ｃを手で持った場合に、手によって覆われない部分である上部や下部などに第一の照度センサー４は設けられる。また、第一の照度センサー４は周知の照度センサーにより構成されており、周囲の照度を検出して照度の値を子機制御部２へ出力する。なお、本実施形態では、第一の照度センサー４は、筐体Ｃの上部に設けられているが、これに限定されない。例えば、第一の照度センサー４が筐体Ｃの下部に設けられていても良いし、上部および下部の両方に設けられていても良い。
【００２３】
子機インターフェース５は、ナースコール子機１とウォールユニット１０とを接続して通信を行うためのものである。ここで、子機制御部２は、子機インターフェース５を制御して、子機制御部２により生成された呼出信号をウォールユニット１０へ出力するとともに、第一の照度センサー４によって検出された照度の値を定期的（例えば１分毎など）にウォールユニット１０へ出力する。また、この照度の値にも子機識別情報が付加される。
【００２４】
次に、ウォールユニット１０の各構成要素について説明する。制御部１１は、ウォールユニット１０の各構成要素を後述するように制御するためのものであり、ＣＰＵなどにより構成されている。接続部１２は、ナースコール子機１のコードの先端に設けられたプラグを着脱自在に接続するためのコンセントを備えており、ナースコール子機１から出力された呼出信号および照度の値を入力する。
【００２５】
第二の照度センサー１３は、接続部１２の近傍に設置されており、ウォールユニット１０が設置されている病床の近傍の照度を検出して照度の値を制御部１１へ出力する。ここで、第二の照度センサー１３も周知の照度センサーにより構成されている。
【００２６】
ウォールユニットインターフェース１４は、ウォールユニット１０とナースコール親機２０とを接続して通信を行うためのものである。ここで、ウォールユニットインターフェース１４は、ナースコール子機１から入力した呼出信号、ナースコール子機１の筺体Ｃの周囲の照度の値（すなわち、ナースコール子機１から入力した照度の値）、第二の照度センサー１３によって検出された照度の値をナースコール親機２０へ出力する。ここで、制御部１１は、ウォールユニットインターフェース１４を制御して、ナースコール子機１から入力した照度の値および第二の照度センサー１３によて検出された照度の値を定期的（例えば１分毎など）にナースコール親機２０へ出力する。また、この照度の値にも子機識別情報が付加される。
【００２７】
次に、ナースコール親機２０の各構成要素について説明する。親機制御部２１は、ナースコール親機２０の各構成要素を後述するように制御するためのものであり、ＣＰＵなどにより構成されている。インターフェース２２は、ナースコール親機２０とウォールユニット１０とを接続して通信を行うためのものである。ここで、親機インターフェース２２は、ウォールユニット１０から出力された呼出信号、第一の照度センサー４により検出された照度の値、第二の照度センサー１３により検出された照度の値を入力する。
【００２８】
報知部２３は、ナースコール子機１により呼び出しが行われたこと、または、ナースコール子機１の筺体Ｃが布団などを被って所在が不明になり、その筐体Ｃの所在の確認を医療従事者に要請することを報知するためのものであり、スピーカーや表示装置、ランプなどにより構成されている。
【００２９】
ここで、インターフェース２２が呼出信号を入力した場合の報知部２３の報知パターンと、筐体Ｃの所在の確認を医療従事者に要請するための報知部２３の報知パターンとを異ならせる必要がある。
【００３０】
親機制御部２１は、インターフェース２２が入力した、第一の照度センサー４により検出された照度の値が第一の所定値以下であるか否かを判定する。また、親機制御部２１は、インターフェース２２が入力した、第二の照度センサー１３により検出された照度の値が第二の所定値以上であるか否かを判定する。ここで、第二の所定値は第一の所定値よりも大きい（明るい）ものとする。また、第一の所定値は、夜間に病室内の照明装置が消灯している状態に等しい値（すなわち暗い状態を示す値）である。また、第二の所定値は、病室内の照明装置が点灯している場合や、昼間に太陽光が窓から入ってくるような場合の照度の値（すなわち明るい状態を示す値）である。
【００３１】
そして、インターフェース２２が入力した、第一の照度センサー４により検出された照度の値が第一の所定値以下であり、かつ、インターフェース２２が入力した、第二の照度センサー１３により検出された照度の値が第二の所定値以上であると親機制御部２１にて判定した場合に、親機制御部２１は、ナースコール子機１の筺体Ｃの所在の確認を医療従事者に要請する報知を報知部２３に行わせる。ここで、照度の値には、子機識別情報が付加されているため、報知部２３の報知により、ナースコール子機１が設置されているベッドのベッド番号を特定することができる。一方、上述した照度の値の条件が上記以外の場合には、親機制御部２１は報知部２３を動作させない。
【００３２】
また、インターフェース２２が呼出信号を入力した場合には、親機制御部２１は、ナースコール子機１を使用している患者が医療従事者を呼び出したことを示す報知を報知部２３に行わせる。ここで、呼出信号には子機識別情報が含まれているので、報知部２３の報知により、呼び出しを行ったナースコール子機１（が設置されているベッドのベッド番号）を特定することができる。
【００３３】
このように構成されたナースコール子機１およびウォールユニット１０が設置された病室において、病室内が明るく、ナースコール子機１の筺体Ｃが布団などを被っていない状態では、ナースコール子機１の筐体Ｃに設けた第一の照度センサー４によって検出される照度の値が第一の所定値以下とならず、ウォールユニット１０に設けた第二の照度センサー１３によって検出される照度の値が第二の所定値以上となるため、親機制御部２１は、ナースコール子機１の筺体Ｃの所在の確認を医療従事者に促す報知を報知部２３に行わせない。
【００３４】
一方、病室内が明るく、ナースコール子機１の筺体Ｃが布団などを被っている状態では、ナースコール子機１の筺体Ｃに設けた第一の照度センサー４によって検出される照度の値が第一の照度以下となり、ウォールユニット１０に設けた第二の照度センサー１３によって検出される照度の値が第二の所定値以上となるため、親機制御部２１は、ナースコール子機１の筺体Ｃの所在の確認を医療従事者に促す報知を報知部２３に行わせる。
【００３５】
また、病室内が暗い状態では、ナースコール子機１の筺体Ｃが布団などを被っているか否かに関わらず、ナースコール子機１の筺体Ｃに設けた第一の照度センサー４によって検出される照度の値が第一の所定値以下となり、ウォールユニット１０に設けた第二の照度センサー１３によって検出される照度の値が第二の所定値未満となるため、親機制御部２１は、ナースコール子機１の筺体Ｃの所在の確認を医療従事者に促す報知を報知部２３に行わせない。
【００３６】
以上詳しく説明したように、本実施形態によれば、病室内の患者のベッド上に置かれることが可能であり、ナースコール子機１の筺体Ｃの患者によって持たれる可能性の低い位置に第一の照度センサー４を設け、病室内に設置され、ナースコール子機１から出力された呼出信号を中継してナースコール親機２０へ出力するウォールユニット１０に第二の照度センサー１３を設けて、第一の照度センサー４によって検出された値が第一の所定値以下であり、かつ、第二の照度センサー１３によって検出された値が第一の所定値よりも大きい第二の所定値以上である場合に、ナースコール親機２０の報知部２３にてナースコール子機１の筐体Ｃの所在の確認を医療従事者に要請する報知を行うようにしている。
【００３７】
これにより、病室内が明るく、ナースコール子機１の筺体Ｃが布団などを被っている状態では、ナースコール子機１の筺体Ｃに設けた第一の照度センサー４によって検出される照度の値が第一の照度以下となり、ウォールユニット１０に設けた第二の照度センサー１３によって検出される照度の値が第二の所定値以上となるため、ナースコール子機１の筺体Ｃの所在の確認を医療従事者に促す報知が行われ、それ以外の場合には報知が行われない。そのため、夜間に病室が消灯されていて、ナースコール子機１の筺体Ｃが布団などを被っていない状態であっても、ナースコール子機１の筐体Ｃの所在の確認を医療従事者に要請する報知が誤って行われないようにすることができる。
【００３８】
なお、本実施形態では、ナースコール子機１から出力される照度の値、および、ウォールユニット１０から出力される照度の値が１分程度の間隔で定期的に行われているが、これに限定されない。例えば、照度の値が出力される間隔を短くし、第一の照度センサー４で検出された照度の値が第一の所定値以下で、かつ、第二の照度センサー１３で検出された照度の値が第二の所定値以上である状態が所定時間以上継続した場合に、ナースコール子機１の筺体Ｃの所在の確認を医療従事者に要請する報知を報知部２３に行わせるようにしても良い。この場合、所定時間の計測を行うためのタイマーが必要になる。
【００３９】
また、本実施形態では、照度の値の判定をナースコール親機２０にて行なっているが、これに限定されない。例えば、照度の値の判定をウォールユニット１０で行うようにしても良い。
【００４０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４１】
１    ナースコール子機
２    子機制御部
３    呼出操作部
４    第一の照度センサー
５    子機インターフェース
１０    ウォールユニット
１１    制御部
１２    接続部
１３    第二の照度センサー
１４    ウォールユニットインターフェース
２０    ナースコール親機
２１    親機制御部
２２    インターフェース
２３    報知部
【図１】
2014033678.tif 000003
【図２】
2014033678.tif 000004